(57)【要約】  本発明は、少なくとも１つのハウジングシェル（４）を備える駆動バッテリー用のバッテリーハウジングに関するものであり、ハウジングシェル（４）は、少なくとも一部又は全部が熱可塑性物質から形成されており、ハウジングシェル（４）は、駆動バッテリーを挿入するための受容領域（６）を有し、ハウジングシェル（４）は、壁（８）を有し、壁（８）は、二層又は多層のサンドイッチ構造（１０）を有し、サンドイッチ構造（１０）の少なくとも第１の層（１２）は、壁空洞（１６）が第１の層（１２）と第２の層（１４）との間に形成されるように、少なくともいくつかの区間において、サンドイッチ構造（１０）の第２の層（１４）から離間しており、壁空洞（１６）は、冷却媒体を貯留するように設計されている。
2021501972.tif 000002
【特許請求の範囲】
【請求項１】
少なくとも１つのハウジングシェル（４）を備える駆動バッテリー用のバッテリーハウジングであって、
ハウジングシェル（４）は、少なくとも一部又は全部が熱可塑性物質から形成されており、
ハウジングシェル（４）は、駆動バッテリーを挿入するための受容領域（６）を有し、
ハウジングシェル（４）は、壁（８）を有し、
壁（８）は、二層又は多層のサンドイッチ構造（１０）を有し、
サンドイッチ構造（１０）の少なくとも第１の層（１２）は、壁空洞（１６）が第１の層（１２）と第２の層（１４）との間に形成されるように、少なくともいくつかの区間において、サンドイッチ構造（１０）の第２の層（１４）から離間しており、
壁空洞（１６）は、冷却媒体を貯留する、若しくは分配する、又はその両方を行うように設計されている、バッテリーハウジング。
【請求項２】
壁空洞（１６）の一部分は、冷却媒体のための膨張容積部であり、及び／又は、
膨張容積部は、ハウジングシェル（４）を塞ぐカバー（７）に一体化され、カバー（７）の膨張容積部は、ハウジングシェル（４）の壁空洞（１６）と流体が通るように連通されている、
請求項１に記載のバッテリーハウジング。
【請求項３】
ポンプ（４４）若しくはコンプレッサー、又はその両方は、少なくともいくつかの区間において、サンドイッチ構造（４２）に一体化されている、請求項１又は請求項２に記載のバッテリーハウジング。
【請求項４】
第１の層（１２）及び第２の層（１４）は、いくつかの区間において、互いに直接接続されている、請求項１から３のいずれか一項に記載のバッテリーハウジング。
【請求項５】
少なくとも１つの補強要素（２４）又は複数の補強要素（２４）は、第１の層（１２）と第２の層（１４）との間に延在しており、その補強要素は、サンドイッチ構造（１０）を剛にするように設計されている、請求項１から４のいずれか一項に記載のバッテリーハウジング。
【請求項６】
少なくとも１つ補強要素（２４）又は複数の補強要素（２４）は、多成分構成であり、少なくとも２つの材料を含有し、及び／又は、
少なくとも１つ補強要素（２４）又は複数の補強要素（２４）は、所定の破断点（２６）を有する、
請求項５に記載のバッテリーハウジング。
【請求項７】
周囲に熱を放散させるための冷却フィン（５１）が設けられ、及び／又は、
壁空洞（４６）は、外部の冷却器（４８）と少なくとも１つコネクタを経由して流体が通るように連通するように設置できる、
請求項１から６のいずれか一項に記載のバッテリーハウジング。
【請求項８】
ハウジングシェル（４）が、ブロー成形によって製造されたものであり、又は、
ハウジングシェル（４）は、少なくとも一部が、射出成形によって製造されたものである、
請求項１から７のいずれか一項に記載のバッテリーハウジング。
【請求項９】
第１の層（１２）は多層であり、及び／又は、
第２の層（１４）は多層であり、及び／又は、
第１の層（１２）および第２の層（１４）のうちの少なくとも一方は、炭化水素用の拡散バリアとして機能するバリア層（３４）を有し、及び／又は、
第１の層および第２の層のうちの少なくとも一方は、ポリアミド、ポリプロピレン、ポリフタルアミド、ポリフェニレンスルファイド、ポリケトン、若しくはポリエチレンを含有し、又は、ポリアミド、ポリプロピレン、ポリフタルアミド、ポリフェニレンスルファイド、ポリケトン、若しくはポリエチレンからなり、及び／又は、
第１の層（１２）および第２の層（１４）のうちの少なくとも一方は、繊維補強され、及び／又は、
第１の層（１２）および第２の層（１４）のうちの少なくとも一方は、熱成形によって形作られている、
請求項１から８のいずれか一項に記載のバッテリーハウジング。
【請求項１０】
第１の層（１２）および第２の層（１４）のうちの少なくとも一方は、有機シート（２８）を含有し、及び／又は、
ハウジングシェル（４）は、受容領域（６）から離間した外側が有機シート（２８）でクラッドされ、及び／又は、
第１の層（１２）および第２の層（１４）のうちの少なくとも一方は、導電性材料を含有し、及び／又は、
有機シート（５４）を含有する１つ又は複数の保持クランプ（５２）又は保持タブが、車体に締結するために設けられている、
請求項１から９のいずれか一項に記載のバッテリーハウジング。
【発明の詳細な説明】
【技術分野】
【０００１】
本発明は、駆動バッテリー用のバッテリーハウジングに関する。
【背景技術】
【０００２】
駆動バッテリー用のバッテリーハウジングは、例えば自動車の駆動バッテリーを確実に封入するのに役立つ。この場合、駆動バッテリーは、バッテリーハウジングに収納されるべきであり、それによって、耐破壊性があり、且つ特定の最小限の期間の間、火災から保護されるようになる。このようにして、事故や火災の際に、環境に有害で健康に有害な化学物質の漏出が防止されるはずである。したがって、自動車の駆動バッテリー用のバッテリーハウジングは、例えば自動車の燃料タンクでも知られているような標準化された火災試験に合格しなければならない。
【０００３】
耐破壊性に関する要求と耐火性に関する最低限の要求との両方に応じるために、駆動バッテリーを収納するための公知のバッテリーハウジングは、通常は、溶接鋼板やプレス鋼板、又は鋳造アルミニウムから作られている。そのような場合、金属材料で作られたそのようなハウジングは比較的に重く、それによって電動自動車の範囲に不利な影響を与えるという欠点がある。
【発明の概要】
【発明が解決しようとする課題】
【０００４】
このような背景から、本発明は、特に耐破壊性があり、且つ特定の最小限の期間の間、火災から保護される軽量の駆動バッテリー用バッテリーハウジングを発明するという技術的問題に基づいている。
【課題を解決するための手段】
【０００５】
上記の技術的問題は、請求項１に記載のバッテリーハウジングによって解決される。本発明のさらなる実施形態は、従属請求項および以下の説明から明らかになるであろう。
【０００６】
駆動バッテリー用のバッテリーハウジングは、少なくとも１つのハウジングシェルを備え、ハウジングシェルは、少なくとも一部又は全部が熱可塑性物質から形成されており、ハウジングシェルは、駆動バッテリーを挿入するための受容領域を有し、ハウジングシェルは、壁を有し、壁は、二層又は多層のサンドイッチ構造を有し、サンドイッチ構造の少なくとも第１の層は、壁空洞が第１の層と第２の層との間に形成されるように、少なくともいくつかの区間において、サンドイッチ構造の第２の層から離間しており、壁空洞は、冷却媒体を貯留する、若しくは分配する、又はその両方を行うように設計されていると特定されている。
【０００７】
したがって、サンドイッチ構造は、一体化された壁空洞と共に、駆動バッテリーを封入する、耐破壊性のための構造と、冷却媒体を貯留する、若しくは分配する、又はその両方を行うための容積部との両方を形成する。
【０００８】
作動中、バッテリーハウジングに収納された駆動バッテリーを冷却するための冷却媒体が壁の中に貯留されるという事実により、バッテリーハウジングの耐火性を増加させることができる。したがって、壁内に貯留された冷却媒体は、火災時に、火に曝された壁を冷却する働きもする。
【０００９】
「駆動バッテリー」及び「トラクションバッテリー」という用語は、本願では同義的に用いられる。さらに、駆動バッテリー又はトラクションバッテリーは、例えば電動自動車やハイブリッド車に使用される高性能蓄電池と称される場合もある。
【００１０】
冷却媒体は冷却剤又はクーラントであってもよい。例えば、バッテリーハウジングの１つの構成によれば、水／グリコール混合物は、サンドイッチ構造の中、すなわちサンドイッチ構造の壁空洞内にクーラントとして貯留されてもよい。別の構成によれば、壁空洞に冷却剤が貯留されてもよい。したがって、ハウジングシェルの壁は、空洞の輪郭のような構造になっている。
【００１１】
バッテリーハウジングのさらなる構成によれば、壁空洞の一部分が冷却媒体のための膨張容積部となるようになっている。特にクーラント又は冷却剤であり得る冷却媒体は、冷却しようとする駆動バッテリーからの熱の導入のために冷却動作中に膨張する場合があり、若しくは、相変化によって液相から気相へ少なくとも部分的に変化する場合があり、又はその両方が生じる場合がある。膨張容積部は、このような作用に必要な補償容積部を提供する。
【００１２】
代替的または追加的に、膨張容積部がハウジングシェルを塞ぐカバーに一体化され、カバーの膨張容積部がハウジングシェルの壁空洞と流体が通るように連通されるようにしてもよい。この場合、カバーの壁の中に一体化された空洞は、ハウジングシェルの壁空洞と例えばホース接続部、パイプ接続部、フランジ接続部などを経由して流体が通るように連通されている。
【００１３】
ハウジングシェルが、例えば一部又は全部が鋼材料またはアルミニウム材料で形成され得る従来の金属カバーで閉塞可能または塞がれるようになっていてもよい。
【００１４】
冷却手段の構造を可能な限り小さくすることを可能にするために、冷却媒体を送達するためのポンプ若しくはコンプレッサー、又はその両方は、少なくともいくつかの区間において、サンドイッチ構造に一体化されてもよい。したがって、駆動バッテリーを冷却するための冷却手段は、一部又は全部がバッテリーハウジングに一体化されてもよい。
【００１５】
例えば、ポンプ若しくはコンプレッサー、又はその両方は、少なくともいくつかの区間において、サンドイッチ構造の第１の層およびサンドイッチ構造の第２の層によって２つの側面で包囲されてもよい。特に、ポンプ若しくはコンプレッサー、又はその両方は、サンドイッチ構造の第１の層およびサンドイッチ構造の第２の層によって完全に包囲されてもよい。このようにして、ポンプ若しくはコンプレッサー、又はその両方は、環境の影響から確実に保護される。言うまでもなく、ポンプ若しくはコンプレッサー、又はその両方を供給するための少なくとも１つの電力供給ラインは、壁を通って導かれてもよい。
【００１６】
バッテリーハウジングのさらなる構成によれば、サンドイッチ構造の第１の層および第２の層は、いくつかの区間において、互いに直接接続されてもよい。例えば、第１の層および第２の層は、いくつかの区間において、特に溶接若しくは結合、又はその両方によって、互いに一体的に結合されてもよい。したがって、耐破壊性の補強されたサンドイッチ構造を提供するために、第１の層と第２の層との間に実質的に線形および／または実質的に点状の接続部を形成してもよい。
【００１７】
代替的または追加的に、少なくとも１つの補強要素又は複数の補強要素が、第１の層と第２の層との間に延在しており、その補強要素が、サンドイッチ構造を剛にするように設計されるようになっていてもよい。このような剛にする要素は、例えば、第１の層と第２の層との間に延在するストラットである。補強要素は、円形、卵形または多角形の断面を有してもよい。
【００１８】
補強要素は、第１の端部によって第１の層に接続され、第２の端部によって第２の層に接続されてもよい。特に、補強要素は、第１の層および第２の層に溶接されてもよい。
【００１９】
結果的に、バッテリーハウジング内への駆動バッテリー又はトラクションバッテリーの耐破壊性のある収納を保証するために、第１の層と第２の層との間、若しくは補強要素間、又はその両方に局所的な接続点の配置構造が設けられてもよい。
【００２０】
少なくとも１つ補強要素又は複数の補強要素が、多成分構成であり、少なくとも２つの材料を含有するようになっていてもよい。したがって、補強要素または少なくとも１つの補強要素は、第１の層の材料に溶接できる第１の材料から第１の端部に形成されてもよく、第１の端部から離間した第２の端部が、第２の層に溶接できる第２の材料から形成されてもよい。特に、それぞれの補強要素は、信頼できる溶接接続を達成するために、それぞれの場合で第１の層および第２の層の関連する材料に同じ方法で溶接できる材料を含有してもよい。
【００２１】
補強要素の端部間に形成された中央区間は、その端部の接続領域と比較して、荷重条件に応じてハウジングシェルの十分な柔軟性および／または剛性を保証するために、より剛な又はより柔軟な材料から形成されてもよい。
【００２２】
代替的または追加的に、少なくとも１つの補強要素、又は複数の補強要素が所定の破断点を有するようになっていてもよい。所定の破断点により、対応する補強要素が過負荷の場合にエネルギーを吸収したり切ったりすることが可能となり、それによって、バッテリーハウジングの部品から封入される駆動バッテリーへの損傷が回避される。
【００２３】
バッテリーハウジングは、ハウジングシェルに、又は、ハウジングシェルを塞ぐカバーに、周囲に熱を放散させるための冷却フィンを有してもよい。冷却フィンによって、表面の拡大を既知の方法でもたらすことができ、それによって、冷却媒体から周囲への熱伝達を行うことができる。
【００２４】
熱を放散させるための冷却フィンが、例えば、ハウジングシェルの壁に形成され、および／またはハウジングシェルを塞ぐカバーに形成される場合、冷却器は、バッテリーハウジングに完全に一体化されてもよい。
【００２５】
代替的または追加的に、壁空洞は、バッテリーハウジングから分離された外部の冷却器と流体が通るように連通するように設置できる。この目的のために、冷却回路を形成するために、冷却器入口および冷却器出口を結合するための２つ以上のインターフェースが、ハウジングシェルおよび／またはカバーの壁に一体化されてもよい。
【００２６】
ハウジングシェルはブロー成形により安価且つ効率的に製造できる。ブロー成形により、信頼性の高い方法で１層または多層の壁構造が可能になり、さらに、補強要素がブロー成形プロセス中に成形熱に適用されることも可能となる。
【００２７】
代替的に、ハウジングシェルは、一部が射出成形により製造されたものであってもよい。射出成形により、多層壁を安価な方法で構築できる。
【００２８】
サンドイッチ構造の第１の層は、多層構造であってもよい。したがって、壁構造の第１の層については、熱可塑性樹脂の複数の層から順番に構成されてもよい。これは、第２の層にも等しく当てはまり、第２の層は、同様に、それ自体で順番に多層構造になっていてもよい。したがって、剛性、柔軟性、汚染物質の放出、および防火に関する要求を満たすために、複数の材料を組み合わせることができる。
【００２９】
層のうちの少なくとも１つは、炭化水素用の拡散バリアとして機能するバリア層を有するようになっていてもよい。そのような場合、これは、例えば、ＥＶＯＨ（エチレン／ビニルアルコールコポリマー）の層であってもよい。
【００３０】
層のうちの少なくとも１つは、ポリアミド（ＰＡ）、ポリプロピレン（ＰＰ）、ポリフタルアミド（ＰＰＡ）、ポリフェニレンスルファイド（ＰＰＳ）、ポリケトン（ＰＫ）、若しくはポリエチレン（ＰＥ）からなるか、又は、ポリアミド（ＰＡ）、ポリプロピレン（ＰＰ）、ポリフタルアミド（ＰＰＡ）、ポリフェニレンスルファイド（ＰＰＳ）、ポリケトン（ＰＫ）、若しくはポリエチレン（ＰＥ）を含有する。
【００３１】
層の少なくとも１つは、繊維強化プラスチック材から構成されてもよく、または繊維強化プラスチック材を含有してもよい。繊維強化プラスチック材により、軽量であると同時に剛性の高いサンドイッチ材料を簡単な方法で提供できる。
【００３２】
層の少なくとも１つは、熱成形によって形作られてもよい。したがって、例えば、トラクションバッテリー又は駆動バッテリーの挿入のための受容領域を画定するために、サンドイッチ材料の１つの層またはサンドイッチ材料の全体を、加熱およびその後の成形によって、それ自体意図した形にすることができる。
【００３３】
層の少なくとも１つは、有機シートを含有したり有機シートで構成されてもよい。
【００３４】
代替的または追加的に、ハウジングシェルは、受容領域から離間した外側が有機シートでクラッドされてもよい。したがって、ハウジングシェルの耐火性を高めることができ、さらにハウジングシェルの補強が得られる。
【００３５】
例えば自動車セクターからの現在のＥＭＣ規格に準拠するために、層の少なくとも１つが導電性材料を含有するようになっていてもよい。
【００３６】
有機シートを含有する１つ又は複数の保持クランプ又は保持タブが、バッテリーハウジングを車体に締結するために設けられるようになっていてもよい。この場合、有機シートは、ハウジングシェルを車体にねじ止めできるようにするために、フックのように湾曲していてもよく、少なくとも１つの貫通孔を有していてもよい。保持クランプまたは保持タブは、特に溶接、封入または結合によって、一体的に結合された方法でサンドイッチ構造に一体化させてもよい。
【００３７】
以下、本発明を、実施形態を示す図面を参照してより詳細に説明する。これらは、いずれの場合も概略的に示している。
【図面の簡単な説明】
【００３８】
【図１】本発明に係る駆動バッテリー用のバッテリーハウジングである。
【図２Ａ】図１のハウジングシェルの第１の壁の断面図である。
【図２Ｂ】図１のハウジングシェルの第２の壁の断面図である。
【図３】図２Ｂのハウジングシェルの第１の層の層状構造である。
【図４】冷却器を有する本発明に係るバッテリーハウジングである。
【図５】本発明に係るバッテリーハウジングのための保持クランプの斜視図および断面図である。
【発明を実施するための形態】
【００３９】
図１は、本発明に係る駆動バッテリー用のバッテリーハウジング２を示している。バッテリーハウジング２は、カバー７で塞ぐことができるハウジングシェル４を有する。本実施形態における中間板９は、透明として示されており、図面の明確さを確実にするために、単に、ハウジングシェル４から持ち上げられた位置で示されている。
【００４０】
本実施形態におけるハウジングシェル４及びカバー７は、実質的に全部が熱可塑性物質で形成されている。ハウジングシェル４は、駆動バッテリーの挿入のための受容領域６を有する。中間板９の上には、駆動バッテリーのバッテリーモジュールを同様に収容できる。
【００４１】
ハウジングシェル４は壁８を有し、壁８は多層のサンドイッチ構造１０を有する（図２Ａ、図２Ｂ）。サンドイッチ構造１０の第１の層１２は、壁空洞１６が第１の層１２と第２の層１４との間に形成されるように、少なくともいくつかの区間において、サンドイッチ構造１０の第２の層１４から離間している。壁空洞１６は、冷却媒体を貯留するように設計されている。
【００４２】
図２Ａ及び図２Ｂは、サンドイッチ構造１０の構成を模式的に示している。言うまでもなく、図２Ｂに図示されたスペース１６は、流体が通るように連通されており、  全体として、冷却媒体を貯留するための壁空洞１６を形成する。壁空洞１６の一部分は、冷却媒体のための膨張容積部である。
【００４３】
領域１８では、第１の層１２と第２の層１４とが局所的に互いに溶接されている。サンドイッチ構造１０は開口部２０を有し、接続要素２２が貫通している。
【００４４】
第１の層１２と第２の層１４との間には、サンドイッチ構造１０を剛にするように設計された補強要素２４が配置されている。
【００４５】
このような補強要素２４は、二成分構造であり、第１の層１２と第２の層１４に同様に溶接される少なくとも２つの材料を含有する。補強要素２４は所定の破断点２６を有する。
【００４６】
図２Ｂの第１の層１２の例として図３に示すように、層１２、１４のそれぞれについては、サンドイッチ構造の方式で順番に多層構造のものとすることができる。したがって、本実施形態における第１の層１２は、有機シート２８の形態の外層を有し、これは、導電性フィラーを備えたプラスチック材３０を覆う。導電性フィラーを備えたプラスチック材３０がカップリング剤層３２を用いてバリア層３４に接続され、バリア層３４がさらなるカップリング剤層３６によってさらなるプラスチック材層３８に接続されてもよい。
【００４７】
図４は、サンドイッチ構造４２に埋め込まれたポンプ４４を有する本発明に係るさらなる液体容器４０を示す。ポンプ４４により、容器４０の壁空洞４６は、冷却器４８と流体が通るように連通されており、それによって、壁空洞４６に貯留された冷却媒体は、冷却器を介して循環させることができる。バッテリーハウジング４０は、駆動バッテリー又はトラクションバッテリーを受容するように設計された受容領域５０を有する。容器４０には、周囲に熱を放散させるための冷却フィン５１が設けられている。
【００４８】
図５は、バッテリーハウジング２またはバッテリーハウジング４０を車体にねじ留めするために、プラスチック材５６で封入された有機シート５４を有する保持クランプ５２を示す。この目的のために、保持クランプ５２にスリーブ５８が貫通してもよい。プラスチック材５６は、例えばポリプロピレンまたはポリアミドであってもよい。保持要素５４は、バッテリーハウジング２またはバッテリーハウジング４０に溶接することができ、したがって、一体的に結合される方法でサンドイッチ構造１０またはサンドイッチ構造４２に接続することができる。
【符号の説明】
【００４９】
２  バッテリーハウジング
４  ハウジングシェル
６  受容領域
７  カバー
８  壁
９  中間板
１０  サンドイッチ構造
１２  サンドイッチ構造１０の第１の層
１４  サンドイッチ構造１０の第２の層
１６  壁空洞
１８  領域
２０  開口部
２２  接続要素
２４  補強要素
２６  所定の破断点
２８  有機シート
３０  プラスチック材
３２  カップリング剤層
３４  バリア層
３６  カップリング剤層
３８  プラスチック材層
４０  液体容器
４２  サンドイッチ構造
４４  ポンプ
４６  壁空洞
４８  冷却器
５０  受容領域
５１  冷却フィン
５２  保持クランプ
５４  有機シート
５６  プラスチック材
５８  スリーブ
【図１】
2021501972.tif 000003
【図２Ａ】
2021501972.tif 000004
【図２Ｂ】
2021501972.tif 000005
【図３】
2021501972.tif 000006
【図４】
2021501972.tif 000007
【図５】
2021501972.tif 000008
【国際調査報告】
2021501972.tif 000009
2021501972.tif 000010
2021501972.tif 000011
2021501972.tif 000012